(57)【要約】【課題】調剤作業の作業効率を向上させることができる調剤用什器を提供する。【解決手段】調剤用什器１０は、下部ユニット２０と、下部ユニット２０と連設される上部ユニット１００と、を備える。上部ユニット１００に、薬剤の収容領域１１１が配設される。上部ユニット１００は、三段昇降ユニット８０により下部ユニット２０に対して上下移動可能とされている。上部ユニット１００は、第一使用位置と、第一使用位置より上方に配置される第二使用位置と、を取り得るように構成され、第一使用位置にある場合には、第一収容領域１１２が下部ユニット２０に収納され、第二使用位置にある場合には、第一収容領域１１２及び第二収容領域１１３が下部ユニット２０から露出する。【選択図】図３
2018149078.tif 000002
【特許請求の範囲】
【請求項１】
下部ユニットと、前記下部ユニットと連設される上部ユニットと、を備え、前記上部ユニットに、薬剤の収容領域が配設される調剤用什器であって、
前記上部ユニットは、昇降手段により前記下部ユニットに対して上下移動可能とされていることを特徴とする調剤用什器。
【請求項２】
前記下部ユニットには、前記上部ユニットが移動可能な上部ユニット移動領域が設けられ、前記上部ユニット移動領域内に昇降手段が配設され、
前記上部ユニット移動領域内を、前記上部ユニットが上下移動可能とされ、
前記収容領域は、
第一収容領域と、前記第一収容領域より上方に設定された第二収容領域と、を有し、
前記上部ユニットは、
第一使用位置と、前記第一使用位置より上方に配置される第二使用位置と、を取り得るように構成され、
前記第一使用位置にある場合には、前記第一収容領域が前記下部ユニットに収納され、
前記第二使用位置にある場合には、前記第一収容領域及び前記第二収容領域が前記下部ユニットから露出することを特徴とする請求項１記載の調剤用什器。
【請求項３】
前記上部ユニットは、
前記第一使用位置より下方に配置される第三使用位置を取り得るように構成され、
前記第三使用位置にある場合には、前記第一収容領域及び前記第二収容領域が前記下部ユニットに収納され、前記上部ユニットの上面と、前記下部ユニットの天板の上面と、で作業領域が形成されることを特徴とする請求項２記載の調剤用什器。
【請求項４】
前記上部ユニットと前記下部ユニットにより手が挟み込まれることを防止する挟み込み防止手段を備えていることを特徴とする請求項１記載の調剤用什器。
【発明の詳細な説明】
【技術分野】
【０００１】
本発明は、薬剤を収容する調剤用什器に関するものである。
【背景技術】
【０００２】
従来の調剤用什器として、特許文献１に記載されるものがあった。上記の調剤用什器は、設置場所に設置される下部ユニットと、下部ユニットから上方に延設され薬剤を収容してするとともに取り出し可能に形成される上部ユニットを備えていた。
【先行技術文献】
【特許文献】
【０００３】
【特許文献１】特開２００１−２９９４７０号公報
【発明の概要】
【発明が解決しようとする課題】
【０００４】
しかし、上記の調剤用什器では、薬剤の収容能力を高めるために上方に上部ユニットを長くすると、薬剤が取りにくくなり調剤作業の作業効率が落ちるという問題があった。
【０００５】
本発明は、上記事情に鑑み、調剤作業の作業効率を向上させることができる調剤用什器を提供するものである。
【課題を解決するための手段】
【０００６】
請求項１記載の発明では、下部ユニットと、前記下部ユニットと連設される上部ユニットと、を備え、前記上部ユニットに、薬剤の収容領域が配設される調剤用什器であって、前記上部ユニットは、昇降手段により前記下部ユニットに対して上下移動可能とされている。
【０００７】
これによれば、取りにくい位置の薬剤を取る場合であっても、薬剤を取りやすい位置に上部ユニットを上下移動させることが可能となり、調剤作業の作業効率を向上させることができる。
【０００８】
また、前記下部ユニットには、前記上部ユニットが移動可能な上部ユニット移動領域が設けられ、前記上部ユニット移動領域内に昇降手段が配設され、前記上部ユニット移動領域内を、前記上部ユニットが上下移動可能とされ、前記収容領域は、第一収容領域と、前記第一収容領域より上方に設定された第二収容領域と、を有し、前記上部ユニットは、第一使用位置と、前記第一使用位置より上方に配置される第二使用位置と、を取り得るように構成され、前記第一使用位置にある場合には、前記第一収容領域が前記下部ユニットに収納され、前記第二使用位置にある場合には、前記第一収容領域及び前記第二収容領域が前記下部ユニットから露出する。
【０００９】
これによれば、上部ユニットが、第一使用位置にある場合には、第一収容領域に、取り扱いに注意が必要な劇薬等、遮光が必要な薬剤等を収容し、劇薬等を簡単に取り扱える状況、遮光が必要な薬剤等に光が当たる状況、を少なくするとともに、第二収容領域にそれ以外の保管の容易な薬剤を収容して、調剤作業に不具合が発生することを抑制することができる。また、上部ユニットが、第二使用位置にある場合には、第二収容領域が下部ユニットから露出するので、取り扱いに注意が必要な劇薬等、遮光が必要な薬剤等の調剤作業をすることができる。
【００１０】
また、前記上部ユニットは、前記第一使用位置より下方に配置される第三使用位置を取り得るように構成され、前記第三使用位置にある場合には、前記第一収容領域及び前記第二収容領域が前記下部ユニットに収納され、前記上部ユニットの上面と、前記下部ユニットの天板の上面と、で作業領域が形成される。
【００１１】
これによれば、上部ユニットが、第三使用位置にある場合には、下部ユニットの天板の上面に加え、上部ユニットの上面が作業領域となるので、作業領域を広くすることが可能となり、作業性を向上させることができる。
【００１２】
また、前記上部ユニットと前記下部ユニットにより手が挟み込まれることを防止する挟み込み防止手段を備えることとすれば、上部ユニットが移動する場合に、手が挟まれることを防止して、調剤作業を安全に行うことができる。
【図面の簡単な説明】
【００１３】
【図１】本発明における一実施形態の調剤用什器の上部ユニットが第一使用位置にあるときの斜視図である。
【図２】図１のＩＩ―ＩＩ線矢視断面図である。
【図３】本発明における一実施形態の調剤用什器の上部ユニットが第二使用位置にあるときの斜視図である。
【図４】図３のＩＶ―ＩＶ線矢視断面図である。
【図５】ガイドパネルの斜視図である。
【図６】ガイドローラの配置を示す平面図である。
【図７】挟み込み防止手段を示す斜視図である。
【図８】挟み込み防止手段の作用説明図である。
【図９】上部ユニットが第一使用位置にあるときの昇降手段の右後方からみた斜視図である。
【図１０】上部ユニットが第二使用位置にあるときの昇降手段の右後方からみた斜視図である。
【図１１】本発明における他の実施形態の調剤用什器の上部ユニットが第三使用位置にあるときの斜視図である。
【発明を実施するための形態】
【００１４】
本発明における調剤用什器の一実施形態を図面に基づいて説明する。以下の説明では、各図面に付される矢印の、Ｆを前、Ｂを後ろ、Ｒを右、Ｌを左、Ｕを上、Ｄを下、方向とする。
【００１５】
調剤用什器１０は、図１〜４に示すように、下部ユニット２０と、上部ユニット１００と、を有している。
【００１６】
下部ユニット２０は、図１〜５に示すように、下部ユニット筐体３０と、天板４０と、二つの引き出しユニット５０（区別するときは引き出しユニット５０ａ、引き出しユニット５０ｂと符合を付ける。）と、ガイドパネル６０と、を有している。
【００１７】
下部ユニット筐体３０は、金属製で、前側が開口するとともに、上側が開口する箱状に形成されている。
【００１８】
天板４０は、合成樹脂製の部材と金属製の部材が組み合わされて平板状に形成され、開口する下部ユニット筐体３０の上端部を、前後方向における長さの半分程度覆う大きさとされ、下部ユニット２０の上端部の前側に配設されている。換言すれば、天板４０は、下部ユニット２０の上側の後半分が開口するように配設されていることになる。
【００１９】
天板４０には、後面から前面に向かって左右方向に長い矩形状に切り欠かれた切り欠き４１が配設されている。切り欠き４１は、後述するリミットスイッチ７５を配置可能とするものである。
【００２０】
引き出しユニット５０は、金属製で前側が開口した箱状の引き出し筐体５１と、図示しないガイドレールと、引き出し５２と、有して、下部ユニット筐体３０内に取り付けられている。
【００２１】
ガイドパネル６０は、図５、６に示すように、金属製で、下部ユニット筐体３０の後壁部分を構成している。ガイドパネル６０は、平板状のパネル板部６１と、上部ユニット１００をガイド可能なガイド部材６２と、を有している。
【００２２】
ガイド部材６２は、後壁部６３と、左壁部６４と、右壁部６５と、左リップ６６と、右リップ６７と、を有して、上下方向からみて断面Ｃ形鋼状に形成され、上下方向の長さがガイドパネル６０と略同一とされている。ガイド部材６２は、左リップ６６と、右リップ６７を有する側（開口する側）を前側にして、パネル板部６１の左右方向における中央部に配設されている。
【００２３】
ガイド部材６２は、後述する前ガイドローラ１３９、横ガイドローラ１３５、後ガイドローラ１３４と当接して、上部ユニット１００が前後左右に移動することを規制するものである。
【００２４】
天板４０の後部の上側には、図７、８に示すように、挟み込み防止手段７０が配設されている。挟み込み防止手段７０は、ケース体７１と、シャッタ板７３と、リミットスイッチ７５と、を有している。
【００２５】
ケース体７１は、下部ユニット筐体３０の内部空間と連通可能な、下側と後側が開口する箱状に形成されている。ケース体７１の上壁には、後端から前端に向かう長方形状の切り欠き７２が配設されている。
【００２６】
シャッタ板７３は、切り欠き７２と略同一の形状の長尺板状に形成されている。シャッタ板７３は、スプリング付き蝶番７４を介してケース体７１に、取り付けられている。シャッタ板７３は、左側からみて時計周り方向に付勢され、通常の状態では、ケース体７１の上面と略面一となり、手が挟まれた状態では、下側に向かって回動するように設定されている。
【００２７】
リミットスイッチ７５は、本実施形態では、ヒンジレバータイプのものが用いられ、切り欠き４１により現れる右側の引き出し筐体５１の上面にブラケット７９を介して取り付けられている。そして、ヒンジレバー７６が、シャッタ板７３の回動領域内に配設されている。
【００２８】
リミットスイッチ７５は、作業者が上部ユニット１００と下部ユニット２０に手が挟まれそうになったときに、図８（ａ）示す状態から、図８（ｂ）に示すように、上部ユニット１００に押された手によりシャッタ板７３が下側に回動して、リミットスイッチ７５のヒンジレバー７６が下側に押されること（ＯＮとなること）で、後述する三段昇降ユニット８０の駆動モータの回転を停止させるように構成されている。
【００２９】
ケース体７１の近傍には、操作ユニット７７が配設され、操作ユニット７７に配設された図示しない操作ボタンを操作することで、上部ユニット１００を下部ユニット２０に対して上下方向に移動することが可能とされている。
【００３０】
操作ボタンは、上昇ボタン、下降ボタン、後述する第一移動位置、第二移動位置等を記憶して、ボタン操作で記憶された位置まで移動する複数のメモリボタン等が適宜選択される。
【００３１】
下部ユニット筐体３０は、図１〜４に示すように、前側に二つの引き出しユニット５０が配置され、後側は、上部ユニット１００が移動可能な空間部分を有している（以下、上部ユニット移動領域３１という）。
【００３２】
上部ユニット移動領域３１には、昇降手段としての既存の三段昇降ユニット８０が二つ配設されている。三段昇降ユニット８０は、図２、４、５、９、１０に示すように、矩形筒状の大筒部８１と、大筒部８１内を摺動可能な矩形筒状の中筒部８２と、中筒部８２内を摺動可能な矩形筒状の小筒部８３と、を有している。大筒部８１の下側には、箱状に形成され下部ユニット筐体３０の底壁部３２に取り付け可能な取り付け部８４を有している。三段昇降ユニット８０は、取り付け部８４において、下部ユニット筐体３０の、上部ユニット移動領域３１に対応する底壁部３２の左右の端部にそれぞれ固定されている。
【００３３】
三段昇降ユニット８０内には、図示しないが、駆動モータと、ボールねじと、ボールねじナット、駆動ギア、従動ギア等を備える、ボールねじ機構が配設され、駆動モータと連結されたボールねじの回転運動を、ボールねじナットを介して直線運動に変換して、小筒部８３に伝達することにより、三段昇降ユニット８０は、上下方向に伸縮可能とされている。
【００３４】
本実施形態では、三段昇降ユニット８０は、ＪＩＥＣＡＮＧ社の品番：ＪＳ３６ＤＲ１−３−Ｒが用いられている。
【００３５】
駆動モータと、操作ユニット７７と、は図示しないコントロールボックスに接続されている。リミットスイッチ７５は、リセット機能付きロッカースイッチ７８を介して駆動モータと接続され、リミットスイッチ７５がＯＮとなると、リセット機能付きロッカースイッチ７８により電源の供給が切断される構成となっている。電源の供給が切断されたときには、リセット機能付きロッカースイッチ７８を操作することで、電源の供給が回復される。
【００３６】
上部ユニット１００は、図１〜４に示すように、金属製で前側が開口した箱状の上部ユニット筐体１１０と、金属製で上下方向に沿って配設される複数の棚板１２０と、合成樹脂製で棚板１２０上に配置される上側が開口する箱状の引き出しケース１２１と、を有している。
【００３７】
上部ユニット筐体１１０の内側は、薬剤等を収容可能な収容領域１１１とされている。収容領域１１１は、第一収容領域１１２と、第二収容領域１１３と、を有している。
【００３８】
本実施形態では、収容領域１１１は、上部ユニット筐体１１０の上下方向における中央下寄りの部分に水平方向に沿って設けられた平板状の区画部１１４を境界として、下側に位置する第一収容領域１１２と、上側に位置する第二収容領域１１３と、が設定されている。そして、第一収容領域１１２に、取り扱いに注意が必要な劇薬、遮光が必要な薬剤等を収容し、第二収容領域１１３には、比較的取扱いが容易な薬剤等を収容することとされる。第一収容領域１１２は、三段昇降ユニット８０の動作領域を確保するために、第二収容領域１１３に対して、左右方向の長さが短く形成されている。
【００３９】
上部ユニット筐体１１０の第一収容領域１１２に相当する部分の左壁部１１５と右壁部１１６には、図３に示すように、三段昇降ユニット８０の小筒部８３と連結可能な連結部材１１９がそれぞれ配設されている（図３では、左壁部１１５の連結部材１１９は現れていない）。連結部材１１９と小筒部８３とが連結されることで、三段昇降ユニット８０により上部ユニット１００が上下方向において移動可能とされている。
【００４０】
図６、９、１０に示すように、上部ユニット筐体１１０の第一収容領域１１２に対応する部分の後壁部１１７の後面には、後側に直方体状に突出する突出部１３０が配設されている。突出部１３０の後面１３１には、後ガイドローラ１３４が四か所取り付けられている。後ガイドローラ１３４は、ガイドパネル６０のガイド部材６２の後壁部６３の前面を転動可能とされている。前後方向からみて、四つの後ガイドローラ１３４の取り付け位置を結ぶと長方形状となる。上部ユニット１００が後側に移動することを規制する。
【００４１】
突出部１３０の左面１３２、右面１３３には、横ガイドローラ１３５（区別するときは横ガイドローラ１３５ａ、横ガイドローラ１３５ｂと符合を付ける）がそれぞれ二つずつ取り付けられている。横ガイドローラ１３５は、対応するガイド部材６２の左壁部６４、右壁部６５の側面（横ガイドローラ１３５ａでは左壁部６４の右面、横ガイドローラ１３５ｂでは右壁部６５の左面）を転動可能とされている。横ガイドローラ１３５は、上部ユニット１００の左右方向の移動を規制する。
【００４２】
突出部１３０の左面１３２、右面１３３には、断面Ｌ字状に形成されたブラケット１３６（区別するときはブラケット１３６ａ、ブラケット１３６ｂと符合を付ける。）が取り付けられている。平面視において、ブラケット１３６は、ブラケット１３６の一方の辺の外面１３７で突出部１３０の側面に取り付けられている。ブラケット１３６の他方の側方に向かって延びる辺の内面１３８には、前ガイドローラ１３９（区別するときは前ガイドローラ１３９ａ、前ガイドローラ１３９ｂと符合を付ける。）が取り付けられている。前ガイドローラ１３９ａは対応する左リップ６６、前ガイドローラ１３９ｂは右リップ６７、の後面をそれぞれ転動可能とされている。前ガイドローラ１３９は、上部ユニット１００が、前側に移動することを規制する。
【００４３】
本実施形態における機能作用を説明する。
【００４４】
図１、２に示す状態では、上部ユニット１００は、第一使用位置にある。このとき、第一収容領域１１２は、下部ユニット２０の上部ユニット移動領域３１内に位置し、三段昇降ユニット８０は、上下方向における長さが一番短い状態となっている。
【００４５】
詳説すれば、第一収容領域１１２に、取り扱いに注意が必要な劇薬等を収容しておくことで、操作ユニット７７で操作しなければ、劇薬は、作業者に視認されることが無いとともに、作業者が取り扱うこと自体ができないので、劇薬を誤って調剤してしまうことを抑制することができる。また、第一収容領域１１２に、遮光が必要な薬剤等を収容しておくことで、下部ユニット２０の下部ユニット筐体３０、引き出しユニット５０により、遮光された状態となるので、光による薬剤の変質を抑制することができる。そして、第二収容領域１１３に、使用頻度が高く、保管の容易な薬剤を収容しておくことで、既存の調剤用什器と同様に、調剤作業を行うことができる。
【００４６】
図３、４は、図１、２の状態から、操作ユニット７７を操作して、三段昇降ユニット８０を駆動させて、上部ユニット１００を第二使用位置まで移動させた状態である。
【００４７】
このとき、三段昇降ユニット８０は、上下方向における長さが一番長い伸びきった状態にある。上部ユニット１００の第一収容領域１１２は、下部ユニット２０の上部ユニット移動領域３１から出た状態にある。換言すれば、第一収容領域１１２と第二収容領域１１３とが下部ユニット２０から露出した状態にある。
【００４８】
また、第二収容領域１１３の最下段に配置される引き出しケース１２１を、第二収容領域１１３から取り出すと、第一収容領域１１２の底壁部分（底壁部１１８）の上面と、ケース体７１の上面と、が略同一の高さに設定されていて、ケース体７１を挟んで、調剤作業の作業領域ＳＧ１が形成されることとなる。
【００４９】
第一収容領域１１２に収容された、取り扱いに注意が必要な劇薬等、遮光が必要な薬剤等を取出して、調剤作業を行うことが可能な状態にあるし、第二収容領域１１３に収容された薬剤も取り出して調剤作業を行うことが可能な状態にある。
【００５０】
また、誤って操作ユニット７７を操作して、上部ユニット１００と下部ユニット２０に手が挟まれそうになっても、挟み込み防止手段７０により、手が挟まれることが防止される。詳説すれば、図８（ａ）の状態から、作業者が上部ユニット１００と下部ユニット２０に手が挟まれそうになると、スプリング付き蝶番７４を介して、ケース体７１に取り付けられているシャッタ板７３は、図８（ｂ）に示すように、下側に回動してリミットスイッチ７５のヒンジレバー７６を押すことで電源の供給が止まり、三段昇降ユニット８０の駆動モータの回転を停止させる。これにより、上部ユニット１００の移動が停止し、作業者の手が挟まれることを防止する。
【００５１】
本実施形態の調剤用什器１０では、下部ユニット２０と、下部ユニット２０と連設される上部ユニット１００と、を備え、上部ユニット１００に、薬剤の収容領域１１１が配設される調剤用什器であって、上部ユニット１００は、昇降手段としての三段昇降ユニット８０により下部ユニット２０に対して上下移動可能とされている。
【００５２】
これによれば、取りにくい位置の薬剤を取る場合であっても、薬剤を取りやすい位置に上部ユニット１００を上下移動させることが可能となり、調剤作業の作業効率を向上させることができる。
【００５３】
また、下部ユニット２０には、上部ユニット１００が移動可能な上部ユニット移動領域３１が設けられ、上部ユニット移動領域３１内に三段昇降ユニット８０が配設され、上部ユニット移動領域３１内を、上部ユニット１００が上下移動可能とされ、収容領域１１１は、第一収容領域１１２と、第一収容領域１１２より上方に設定された第二収容領域１１３と、を有し、上部ユニット１００は、第一使用位置と、第一使用位置より上方に配置される第二使用位置と、を取り得るように構成され、第一使用位置にある場合には、第一収容領域１１２が下部ユニット２０に収納され、第二使用位置にある場合には、第一収容領域１１２及び第二収容領域１１３が下部ユニット２０から露出する。
【００５４】
これによれば、上部ユニット１００が、第一使用位置にある場合には、第一収容領域１１２に、取り扱いに注意が必要な劇薬等、遮光が必要な薬剤等を収容し、劇薬等を簡単に取り扱える状況、遮光が必要な薬剤等に光が当たる状況、を少なくするとともに、第二収容領域１１３にそれ以外の保管の容易な薬剤を収容して、調剤作業に不具合が発生することを抑制することができる。また、上部ユニット１００が、第二使用位置にある場合には、第二収容領域１１３が下部ユニット２０から露出するので、取り扱いに注意が必要な劇薬等、遮光が必要な薬剤等の調剤作業をすることができる。
【００５５】
また、上部ユニット１００と下部ユニット２０により手が挟み込まれることを防止する挟み込み防止手段７０を備える構成としているので、上部ユニット１００が移動する場合に、手が挟まれることを防止して、調剤作業を安全に行うことができる。
【００５６】
本発明の調剤用什器は上記構成に限定されるものではない。即ち、本発明の要旨を逸脱しない限り各種の設計変更等が可能である。以下に、変形した態様を例示する。調剤用什器１０と共通する構成については、同一符号を付してそれらの説明の全部又は一部を省略する。
【００５７】
図に示す調剤用什器１０Ａでは、図１１に示すように、上部ユニット１００Ａは、第一使用位置より下方に配置される第三使用位置を取り得るように構成されている。
【００５８】
この場合、三段昇降ユニット８０を、第二使用位置にあるときに上下方向における長さが一番長い伸びきった状態とし、第三使用位置にあるときに上下方向における長さが一番短い状態とし、第一使用位置にあるときに、第一収容領域１１２を上部ユニット移動領域３１内に位置可能で、伸びきった状態と一番短い状態の間の任意の長さに設定する。
【００５９】
また、上部ユニット筐体１１０Ａの上下方向における長さを、第一収容領域１１２、第二収容領域１１３が下部ユニット２０に収納可能な長さに設定する。
【００６０】
上部ユニット１００Ａが第三使用位置にある場合には、第一収容領域１１２及び第二収容領域１１３が下部ユニット２０に収納され、上部ユニット１００Ａの上面と、下部ユニット２０の天板４０の上面と、で作業領域ＳＧ２が形成される。
【００６１】
これによれば、上部ユニット１００Ａが、第三使用位置にある場合には、下部ユニット２０の天板４０の上面に加え、上部ユニット１００Ａの上面が作業領域ＳＧ２となるので、作業領域ＳＧ２を広くすることが可能となり、作業性を向上させることができる。
【００６２】
また、挟み込み防止手段７０のケース体７１、シャッタ板７３は、天板４０から上方に突出して形成されているが、天板４０の上面と面一又は略面一として、作業領域ＳＧ１を平坦な状態とすることも可能である。同様に作業領域ＳＧ２も平坦な状態とすることも可能である。
【００６３】
また、三段昇降ユニット８０の内部機構としては、実開平０２−１３３８３６号公報等に記載されるボールねじ機構が挙げられ、これを三段伸縮タイプに応用することが可能である。
【００６４】
また、三段昇降ユニット８０以外の昇降手段としては、上部ユニット移動領域３１内に配置可能で、上部ユニット１００を上下移動可能であれば、シリンダ式、パンタグラフ式の昇降装置を適用することができる。
【符号の説明】
【００６５】
１０  調剤用什器
１０Ａ  調剤用什器
２０  下部ユニット
３１  上部ユニット移動領域
７０  挟み込み防止手段
８０  三段昇降ユニット
１００  上部ユニット
１００Ａ  上部ユニット
１１１  収容領域
１１２  第一収容領域
１１３  第二収容領域
ＳＧ２  作業領域
【図１】
2018149078.tif 000003
【図２】
2018149078.tif 000004
【図３】
2018149078.tif 000005
【図４】
2018149078.tif 000006
【図５】
2018149078.tif 000007
【図６】
2018149078.tif 000008
【図７】
2018149078.tif 000009
【図８】
2018149078.tif 000010
【図９】
2018149078.tif 000011
【図１０】
2018149078.tif 000012
【図１１】
2018149078.tif 000013